(57)【要約】【課題】流体を加熱するためのタンクを備えることなく、流体を加熱することができる流体加熱装置、及び歯科用蝋洗浄装置を提供する。【解決手段】流体を加熱する流体加熱装置２は、内部に流体が流れる導電性のパイプコイル７と、パイプコイル７と接続され、パイプコイル７に二次側電流を流す二次側コイルＴ２を有するトランスＴとを備えた。【選択図】図２
2015070907.tif 000002
【特許請求の範囲】
【請求項１】
流体を加熱する流体加熱装置であって、
内部に前記流体が流れる導電性の導管と、
前記導管と接続され、前記導管に二次側電流を流す二次側コイルを有するトランスとを備える流体加熱装置。
【請求項２】
前記導管よりも前記流体の流路の上流側に配設され、前記流れを制御する弁部をさらに備える請求項１記載の流体加熱装置。
【請求項３】
前記流体は水であり、
前記弁部は、
前記導管の出口から加熱された水を吐出させるために予め設定された第１流量にするように前記流体の流量を調節する第１流量弁と、
前記導管の出口から蒸気を吐出させるために前記第１流量より少ない第２流量にするように前記流体の流量を調節する第２流量弁とを備える請求項１又は２記載の流体加熱装置。
【請求項４】
前記温水と前記蒸気とのうちいずれを前記導管の出口から吐出させるかの選択指示を受け付ける指示受付部をさらに備え、
前記弁部は、
前記指示受付部により前記温水を吐出させる選択指示が受け付けられたとき、前記流体を、前記第１流量弁を介して前記導管へ流入させ、前記指示受付部により前記蒸気を吐出させる選択指示が受け付けられたとき、前記流体を、前記第２流量弁を介して前記導管へ流入させる流路切替部をさらに備える請求項３記載の流体加熱装置。
【請求項５】
前記導管は、螺旋状に巻かれた形状を有する請求項１〜４のいずれか１項に記載の流体加熱装置。
【請求項６】
合成樹脂の義歯床を製造するための鋳型から当該鋳型の形状の元となった蝋を洗い流す歯科用蝋洗浄装置であって、
請求項１〜５のいずれか１項に記載の流体加熱装置と、
前記導管の出口と連通され、前記導管で加熱された温水又は蒸気を吐出するノズルと、
前記蝋が付着した鋳型を収容可能なシンクとを備え、
前記ノズルは、前記導管の出口と可撓性を有する管によって連通され、前記温水又は蒸気の吐出方向を前記シンクへ向けてユーザが変更可能である歯科用蝋洗浄装置。
【請求項７】
前記流体加熱装置は、
前記シンク内に配設され、前記導管で得られた蒸気を前記シンク内へ吐出可能な固定ノズルと、
前記導管の出口の連通先を、前記ノズルと前記固定ノズルとの間で切り替える切替部とをさらに備える請求項６記載の歯科用蝋洗浄装置。
【発明の詳細な説明】
【技術分野】
【０００１】
本発明は、流体を加熱する流体加熱装置、及び合成樹脂の義歯床を製造する過程で鋳型から当該鋳型の形状の元となった蝋を洗い流す歯科用蝋洗浄装置に関する。
【背景技術】
【０００２】
従来、電気エネルギーにより温水を発生させる温水発生装置として、タンク内に貯留した水を、ヒータで加熱することで温水にするものが知られている（例えば、特許文献１参照）。また、義歯を作成する場合、合成樹脂、いわゆる歯科用レジンで義歯床を製造する。このとき、蝋で作成した模型を元に樹脂成形のための鋳型を作成する。そして、蝋を温水や蒸気で溶かして洗い流し、蝋がなくなった空洞に樹脂を注入することで義歯床が作成される。このように、義歯を製造する過程で温水や蒸気が用いられる。
【先行技術文献】
【特許文献】
【０００３】
【特許文献１】特開平５−３４０１７号公報
【発明の概要】
【発明が解決しようとする課題】
【０００４】
しかしながら、上述のようにタンク内の水を加熱して温水を生成すると、タンク内に貯留された水の熱容量が大きいために、温水や蒸気を得るのに時間がかかるという、不都合があった。また、タンク内の水を加熱して温水や蒸気を生成すると、水に含まれる石灰分がタンク内に析出し、石灰が溜まって水の流路が詰まるという、不都合があった。
【０００５】
本発明の目的は、流体を加熱するためのタンクを備えることなく、流体を加熱することができる流体加熱装置、及び歯科用蝋洗浄装置を提供することである。
【課題を解決するための手段】
【０００６】
本発明に係る流体加熱装置は、流体を加熱する流体加熱装置であって、内部に前記流体が流れる導電性の導管と、前記導管と接続され、前記導管に二次側電流を流す二次側コイルを有するトランスとを備える。
【０００７】
この構成によれば、トランスの二次側コイルによって導電性の導管に二次側電流が流され、導管が直接発熱する。その結果、安全性を確保しつつ効率よく導管を流れる流体を加熱することができる。従って、流体を加熱するためのタンクを備えることなく、流体を加熱することができる。
【０００８】
また、前記導管よりも前記流体の流路の上流側に配設され、前記流れを制御する弁部をさらに備えることが好ましい。
【０００９】
この構成によれば、導管よりも流体の流路の上流側、すなわち流体が加熱されていない位置に、流体の流れを制御する弁部が配設される。その結果、弁部が加熱されるおそれが低減され、弁部が故障するおそれが低減される。
【００１０】
また、前記流体は水であり、前記弁部は、前記導管の出口から加熱された水を吐出させるために予め設定された第１流量にするように前記流体の流量を調節する第１流量弁と、前記導管の出口から蒸気を吐出させるために前記第１流量より少ない第２流量にするように前記流体の流量を調節する第２流量弁とを備えることが好ましい。
【００１１】
この構成によれば、第１流量弁により導管で温水を生成させ、第２流量弁により導管で蒸気を生成させることが容易である。
【００１２】
また、前記温水と前記蒸気とのうちいずれを前記導管の出口から吐出させるかの選択指示を受け付ける指示受付部をさらに備え、前記弁部は、前記指示受付部により前記温水を吐出させる選択指示が受け付けられたとき、前記流体を、前記第１流量弁を介して前記導管へ流入させ、前記指示受付部により前記蒸気を吐出させる選択指示が受け付けられたとき、前記流体を、前記第２流量弁を介して前記導管へ流入させる流路切替部をさらに備えることが好ましい。
【００１３】
この構成によれば、指示受付部によって、温水と蒸気のうちいずれかを選択する選択指示が受け付けられ、温水と蒸気のうち選択された方を、導管で生成することができる。
【００１４】
また、前記導管は、螺旋状に巻かれた形状を有することが好ましい。
【００１５】
この構成によれば、導管をコンパクトに構成することができるので、流体加熱装置を小型化することが容易である。
【００１６】
また、本発明に係る流体加熱装置は、合成樹脂の義歯床を製造するための鋳型から当該鋳型の形状の元となった蝋を洗い流す歯科用蝋洗浄装置であって、上述の流体加熱装置と、前記導管の出口と連通され、前記導管で加熱された温水又は蒸気を吐出するノズルと、前記蝋が付着した鋳型を収容可能なシンクとを備え、前記ノズルは、前記導管の出口と可撓性を有する管によって連通され、前記温水又は蒸気の吐出方向を前記シンクへ向けてユーザが変更可能である。
【００１７】
この構成によれば、ユーザは、シンク内に蝋が付着した鋳型を配置し、ノズルを操作して温水又は蒸気を蝋に吹き付けることによって、蝋を洗い流すことができる。
【００１８】
また、前記流体加熱装置は、前記シンク内に配設され、前記導管で得られた蒸気を前記シンク内へ吐出可能な固定ノズルと、前記導管の出口の連通先を、前記ノズルと前記固定ノズルとの間で切り替える切替部とをさらに備えることが好ましい。
【００１９】
この構成によれば、蒸気によりシンク内の温度を高温にすることができる。その結果、シンク内で蝋を軟化させたり、シンク内で樹脂を重合、硬化させたりすることが可能となる。
【発明の効果】
【００２０】
このような構成の流体加熱装置、及び歯科用蝋洗浄装置は、流体を加熱するためのタンクを備えることなく、流体を加熱することができる。
【図面の簡単な説明】
【００２１】
【図１】本発明の一実施形態に係る流体加熱装置を備えた歯科用蝋洗浄装置の外観の一例を示す斜視図である。
【図２】本発明の一実施形態に係る流体加熱装置の構成の一例を概念的に示す説明図である。
【図３】蝋が付着した鋳型を示す説明図である。
【発明を実施するための形態】
【００２２】
以下、本発明に係る実施形態を図面に基づいて説明する。なお、各図において同一の符号を付した構成は、同一の構成であることを示し、その説明を省略する。図１は、本発明の一実施形態に係る流体加熱装置を備えた歯科用蝋洗浄装置の外観の一例を示す斜視図である。図１に示す歯科用蝋洗浄装置１は、後述する流体加熱装置２を用いて構成されており、略箱状の筐体１１、シンク１２、上蓋１３、ドレーンタンク１５、ノズル３１、固定ノズル３２、切替ハンドル４、温度センサ５１（シンク内温度検出部）、温度調節器６１，６２，６３、切替スイッチＳＷ１、及びフットスイッチＳＷ２を備えている。
【００２３】
シンク１２は、筐体１１の上面を凹没させて形成されている。シンク１２の底部には、例えば金属メッシュで構成され、水を下方に透過させて排水するように構成された底板１２１が配設されている。これにより、底板１２１上に、フラスコと称される枠体に収納された、歯形の蝋模型と石膏の鋳型とを配置可能にされている。
【００２４】
上蓋１３は、図中左端縁において、筐体１１に対して回動可能に取り付けられている。上蓋１３には、図略の取っ手が取り付けられており、ユーザが上蓋１３を開閉可能にされている。上蓋１３を閉じると、シンク１２が上蓋１３に覆われて、シンク１２内に閉鎖空間が構成されるようになっている。
【００２５】
シンク１２内の側壁には、固定ノズル３２と、温度センサ５１とが取り付けられている。固定ノズル３２は、シンク１２内に蒸気を吐出するためのノズルである。温度センサ５１は、シンク１２内の温度を検出する温度センサである。
【００２６】
筐体１１の上面、シンク１２の奥側からは、ノズル３１が引き出し可能にされている。ノズル３１には、ユーザが握ることのできるハンドル３１１が取り付けられている。また、ノズル３１は、可撓性を有するホース３１２（管）によって、後述する流体加熱装置２と連通されている。ホース３１２は、筐体１１内に収納可能にされており、ユーザがハンドル３１１を握ってノズル３１を持ち上げることにより、筐体１１内からホース３１２が引き出される。
【００２７】
これにより、ユーザは、ノズル３１を底板１２１上に配置されたフラスコに向けることによって、ノズル３１から、温水や蒸気をフラスコに収納された蝋模型へ向けて吐出させることができる。
【００２８】
筐体１１の上面、シンク１２の奥側には、切替ハンドル４が配設されている。ユーザは、切替ハンドル４を操作することにより、流体加熱装置２で生成された蒸気の送り先を、ノズル３１と固定ノズル３２との間で切り替え可能にされている。
【００２９】
筐体１１の前方壁面における図中左側には、開閉扉１４が取り付けられている。開閉扉１４を開けると、筐体１１内に収納されたドレーンタンク１５が露出する。ドレーンタンク１５内には、底板１２１の下方に排水された汚水が収納される。ユーザは、開閉扉１４を開いてドレーンタンク１５を取り出し、汚水を廃棄することが可能にされている。
【００３０】
筐体１１の前方壁面における図中右側には、温度調節器６１，６２，６３の操作パネル６１１，６２１，６３１が配設されている。ユーザが操作パネル６１１，６２１，６３１を操作することにより、温度調節器６１，６２，６３の設定温度を変更可能にされている。
【００３１】
操作パネル６１１，６２１，６３１の下方には、切替スイッチＳＷ１が配設されている。切替スイッチＳＷ１は、歯科用蝋洗浄装置１の動作を停止させる「オフ」、ノズル３１から温水を吐出させる「温水」、ノズル３１から蒸気を吐出させる「スチーム」、及び固定ノズル３２からシンク１２内に蒸気を吐出させる「シンク」の各動作モードを切り替える操作スイッチである。以下、切替スイッチＳＷ１が「温水」に切り替えられた状態を温水モード、切替スイッチＳＷ１が「スチーム」に切り替えられた状態をスチームモード、切替スイッチＳＷ１が「シンク」に切り替えられた状態をシンクモードと称する。
【００３２】
また、歯科用蝋洗浄装置１は、足踏み式のフットスイッチＳＷ２を備えている。フットスイッチＳＷ２は、例えばケーブルで筐体１１と接続されている。
【００３３】
図２は、本発明の一実施形態に係る流体加熱装置２の構成の一例を概念的に示す説明図である。図２に示す流体加熱装置２は、筐体１１の適所に配設されて、歯科用蝋洗浄装置１を構成している。
【００３４】
流体加熱装置２は、トランスＴ、パイプコイル７（導管）、弁部８、スイッチング部９、切替弁４１（切替部）、ノズル３１、固定ノズル３２、切替スイッチＳＷ１（指示受付部）、フットスイッチＳＷ２、温度センサ５１，５２、温度調節器６１，６２，６３、及び制御部１００を備える。弁部８は、第１流量弁８１、第２流量弁８２、及び電磁弁８３，８４（流路切替部）を備える。
【００３５】
パイプコイル７は、例えばステンレス（ＳＵＳ）や銅などの導電性材料により構成された導管である。パイプコイル７は、例えば外径６ｍｍ、長さ２ｍ程度の導管が、螺旋状に巻回されて構成されている。パイプコイル７の一方端部である入口７１は、弁部８を介して水道の蛇口や水タンクなどの水供給源に接続されている。パイプコイル７は、後述する二次側コイルＴ２から供給される電流が流れることにより発熱し、パイプコイル７内を流れる水を加熱する。パイプコイル７の内径及び長さは、必要とされる温水又は蒸気の量や温度、あるいはトランスＴの容量等に応じて適宜設定されている。
【００３６】
具体的には、入口７１は、第１流量弁８１及び第２流量弁８２と連通されている。第１流量弁８１は、電磁弁８３を介して水供給源と連通されている。第２流量弁８２は、電磁弁８４を介して水供給源と連通されている。これにより、水供給源から電磁弁８３及び第１流量弁８１を介してパイプコイル７の入口７１に至る第１流路２１と、水供給源から電磁弁８４及び第２流量弁８２を介してパイプコイル７の入口７１に至る第２流路２２とが形成されている。
【００３７】
第１流量弁８１及び第２流量弁８２は、例えばニードルバルブ等のように、流路に流れる流量を調節可能な弁である。第１流量弁８１は、パイプコイル７へ供給される水の流量が、パイプコイル７によって温水を生成させるのに適した第１流量となるように、弁の開度が予め設定されている。第２流量弁８２は、パイプコイル７へ供給される水の流量が、パイプコイル７によって蒸気を生成させるのに適した第２流量となるように、弁の開度が予め設定されている。第２流量は、第１流量より少ない。
【００３８】
電磁弁８３，８４は、制御部１００からの制御信号に応じて開閉される開閉弁である。これにより、電磁弁８３が開、電磁弁８４が閉とされたときは第１流路２１を介して、第１流量の水がパイプコイル７へ供給され、電磁弁８３が閉、電磁弁８４が開とされたときは第２流路２２を介して、第２流量の水がパイプコイル７へ供給される。すなわち、電磁弁８３，８４は、第１流路２１と第２流路２２とを切り替える流路切替部として機能する。
【００３９】
なお、電磁弁８３，８４の代わりに、第１流路２１と第２流路２２とを切り替える切替バルブ（三方弁）を用いてもよい。また、電磁弁ではなく、手動弁を用いてもよい。
【００４０】
なお、第２流量弁８２及び電磁弁８４を備えず、第１流量弁８１の流量を第１流量と第２流量とで切り替えるようにしてもよい。しかしながら、第１流量弁８１及び第２流量弁８２を備え、第１流路２１と第２流路２２とを切り替える構成は、温水の生成、及び蒸気の生成に適した流量の水を、パイプコイル７へ速やかに供給することができる点でより好ましい。
【００４１】
切替弁４１は、例えば手動操作により流路を切り替える切替バルブ（三方弁）である。
切替弁４１は、切替ハンドル４と連結され、切替ハンドル４と連動して流路を切り替える。切替弁４１の各ポートは、パイプコイル７の出口７２、ノズル３１、及び固定ノズル３２にそれぞれ連通されている。これにより、切替弁４１は、パイプコイル７から吐出された温水又は蒸気を、切替ハンドル４の操作に応じてノズル３１及び固定ノズル３２のうちいずれかへ導くようになっている。
【００４２】
トランスＴは、一次側コイルＴ１と二次側コイルＴ２とを備える。トランスＴは、例えば絶縁トランスであり、一次側コイルＴ１と二次側コイルＴ２とは絶縁されている。
【００４３】
一次側コイルＴ１は、スイッチング部９を介して、例えばＡＣ２００Ｖの商用交流電源等の外部電源に接続されている。二次側コイルＴ２の一端は、接続端子７３によってパイプコイル７の入口７１の近傍に電気的に接続されている。二次側コイルＴ２の他端は、接続端子７４によってパイプコイル７の出口７２の近傍に電気的に接続されている。一次側コイルＴ１にＡＣ２００Ｖが入力されたとき、二次側コイルＴ２はＡＣ１５Ｖを出力し、パイプコイル７に例えばＡＣ１８０Ａ程度の電流が流れ、パイプコイル７が発熱する。
【００４４】
スイッチング部９は、制御部１００からの制御信号に応じて、一次側コイルＴ１への電源電圧Ｖａｃの入力をオン、オフする。スイッチング部９は、例えば互いに逆方向に接続された一対のサイリスタによって構成され、交流電圧を開閉可能にされている。なお、スイッチング部９は、交流電圧を開閉可能なスイッチング素子であればよく、サイリスタに限らない。
【００４５】
また、制御部１００は、スイッチング部９をオンさせる期間中、例えばサイリスタをオンさせる位相を調節し、位相制御（電圧制御）を行うことによって、スイッチング部９をオンさせたときにパイプコイル７に予め設定された電流を流すようにしてもよい。また、制御部１００は、スイッチング部９をオフさせる期間中においても、サイリスタの位相制御により、スイッチング部９のオン時よりも少ない微少電流をパイプコイル７に流し続けるように制御してもよい。
【００４６】
切替スイッチＳＷ１は、ユーザの切替操作による「オフ」、「温水」、「スチーム」、及び「シンク」の各動作モードを示す信号を制御部１００へ出力する。フットスイッチＳＷ２は、足踏みペダルを備えている。フットスイッチＳＷ２は、例えばユーザが足踏みペダルを踏み込むとオンし、ペダルを離すとオフする。フットスイッチＳＷ２は、そのオン、オフを示す信号を制御部１００へ出力する。
【００４７】
温度センサ５２は、パイプコイル７に取り付けられ、パイプコイル７の温度、すなわちパイプコイル７内を流れる水の温度を検出する。温度センサ５２は、その検出された温度を示す情報を、温度調節器６１，６２へ出力する。温度センサ５１は、シンク１２内の温度を検出し、その検出された温度を示す情報を、温度調節器６３へ出力する。
【００４８】
温度調節器６１，６２，６３は、温度センサで検出された温度に基づきヒータ（流体加熱装置２の場合はスイッチング部９）をオン、オフすることで、予め設定された温度になるように温度制御するコントローラである。温度調節器６１，６２，６３としては、例えばオムロン（株）製温度調節器Ｅ５ＣＢを用いることができる。
【００４９】
温度調節器６１は、温度センサ５２で検出されたパイプコイル７の温度に基づき、スイッチング部９のオン、オフを指示する信号を制御部１００へ出力することにより、温水モードでノズル３１から吐出される温水の温度を調節する。温度調節器６１の設定温度は、蝋の軟化、洗浄に適した温度にされており、例えば８０°Ｃ〜９５°Ｃ、より好ましくは略８５°Ｃにされている。
【００５０】
温度調節器６２は、温度センサ５２で検出されたパイプコイル７の温度に基づき、スイッチング部９のオン、オフを指示する信号を制御部１００へ出力することにより、スチームモードでノズル３１から吐出される蒸気の温度を調節する。温度調節器６２の設定温度は、蒸気による蝋の軟化、洗浄に適した温度にされており、例えば１２０°Ｃ〜１８０°Ｃ、より好ましくは略１４０°Ｃにされている。
【００５１】
温度調節器６３は、温度センサ５１で検出されたシンク１２内の温度に基づき、スイッチング部９のオン、オフを指示する信号を制御部１００へ出力することにより、シンク１２内の温度を調節する。温度調節器６３の設定温度は、シンク１２内で蝋を軟化させるときは、例えば略８５°Ｃに設定され、シンク１２内で樹脂（歯科用レジン）を重合硬化させるときは、例えば９０°Ｃ〜９５°Ｃに設定される。
【００５２】
なお、温度調節器６１，６２，６３は、制御部１００を介さず、直接スイッチング部９のオン、オフを制御するようにしてもよい。
【００５３】
制御部１００は、例えばマイクロコンピュータやプログラマブルコントローラを用いて構成されている。なお、制御部１００は、ワイヤードロジックや論理回路等により構成されていてもよい。
【００５４】
制御部１００は、切替スイッチＳＷ１、フットスイッチＳＷ２、温度調節器６１，６２，６３からの信号に基づき、スイッチング部９のオン，オフ、及び電磁弁８３，８４の開閉を制御する。制御部１００は、切替スイッチＳＷ１が「温水」に設定されたとき、温度調節器６１からの信号に基づきスイッチング部９のオン，オフを制御する。これにより、パイプコイル７の温度が温度調節器６１の設定温度に調節される。さらに制御部１００は、切替スイッチＳＷ１が「温水」に設定され、かつフットスイッチＳＷ２がオンしたとき、電磁弁８３を開、電磁弁８４を閉とし、第１流路２１を介して水をパイプコイル７へ供給する。これにより、パイプコイル７で温水が生成される。
【００５５】
また、制御部１００は、切替スイッチＳＷ１が「スチーム」に設定されたとき、温度調節器６２からの信号に基づきスイッチング部９のオン，オフを制御する。これにより、パイプコイル７の温度が温度調節器６２の設定温度に調節される。さらに制御部１００は、切替スイッチＳＷ１が「スチーム」に設定され、かつフットスイッチＳＷ２がオンしたとき、電磁弁８３を閉、電磁弁８４を開とし、第２流路２２を介して水をパイプコイル７へ供給する。これにより、パイプコイル７で蒸気が生成される。
【００５６】
また、制御部１００は、切替スイッチＳＷ１が「シンク」に設定されたとき、フットスイッチＳＷ２のオン、オフに関わらず、電磁弁８３を閉、電磁弁８４を開とし、温度調節器６３からの信号に基づきスイッチング部９のオン，オフを制御する。これにより、パイプコイル７の温度が温度調節器６２の設定温度に調節され、パイプコイル７で蒸気が生成される。そして、ユーザが切替ハンドル４を固定ノズル３２側に切り替えることにより、シンク１２に蒸気が供給される。
【００５７】
次に、上述のように構成された歯科用蝋洗浄装置１及び流体加熱装置２の動作について説明する。図３は、蝋が付着した鋳型を示す説明図である。図３に示す鋳型は、フラスコ２０１ａ，２０１ｂ，２０２ａ，２０２ｂに収納されている。フラスコ２０１ａ，２０１ｂは、下側の義歯に対応し、フラスコ２０２ａ，２０２ｂは、上側の義歯に対応している。フラスコ２０１ａ，２０１ｂには、歯形の蝋模型２０１ｃ，２０１ｄが収容され、蝋模型２０１ｃ，２０１ｄとフラスコ２０１ａ，２０１ｂとの間の空洞を埋めるように石膏の鋳型２０１ｅ，２０１ｆが形成されている。同様に、フラスコ２０２ａ，２０２ｂには、歯形の蝋模型２０２ｃ，２０２ｄが収容され、蝋模型２０２ｃ，２０２ｄとフラスコ２０２ａ，２０２ｂとの間の空洞を埋めるように石膏の鋳型２０２ｅ，２０２ｆが形成されている。
【００５８】
下側の義歯床は、蝋模型２０１ｃ，２０１ｄを溶融して洗い流した後に、フラスコ２０１ａ，２０１ｂを組み合わせることにより鋳型２０１ｅ，２０１ｆが上下に組み合わされて得られる空洞に樹脂（歯科用レジン）を充填し、重合硬化させることによって作成される。上側の義歯床は、蝋模型２０２ｃ，２０２ｄを溶融して洗い流した後に、フラスコ２０２ａ，２０２ｂを組み合わせることにより鋳型２０２ｅ，２０２ｆが上下に組み合わされて得られる空洞に樹脂（歯科用レジン）を充填し、重合硬化させることによって作成される。
【００５９】
そこで、ユーザは、図３に示すように、フラスコ２０１ａ，２０１ｂ，２０２ａ，２０２ｂを、シンク１２内の底板１２１上に配置する。この状態で、ユーザは、上蓋１３を閉じてシンク１２内を閉鎖空間とし、切替ハンドル４を操作して蒸気の送り先を固定ノズル３２に切り替え、操作パネル６３１を操作してシンク用の温度調節器６３の設定温度を例えば８５°Ｃに設定し、切替スイッチＳＷ１を「シンク」に切り替える。
【００６０】
そうすると、温度調節器６３は、温度センサ５１で検出されたシンク１２の温度が設定温度に満たなければスイッチング部９のオンを指示する指示信号を制御部１００へ出力し、シンク１２の温度が設定温度を超えていればスイッチング部９のオフを指示する指示信号を制御部１００へ出力する。制御部１００は、シンクモードの動作を行うべく、電磁弁８３を閉、電磁弁８４を開とし、第２流量弁８２を介してパイプコイル７に水を供給させ、温度調節器６３からの指示信号に応じてスイッチング部９をオン、オフさせる。
【００６１】
スイッチング部９がオンすると、一次側コイルＴ１に２００Ｖが印加され、二次側コイルＴ２から１５Ｖが出力されて、接続端子７３，７４を介してパイプコイル７に例えば１８０Ａ程度の電流が流れ、パイプコイル７が発熱し、パイプコイル７を流れる水を加熱する。このとき、第２流量弁８２は、パイプコイル７に流れる水量を、蒸気の発生に適した少量の第２流量に調節するので、パイプコイル７を流れる過程で水が蒸気となる。その蒸気が出口７２から切替弁４１へ送り出され、切替弁４１によって蒸気が固定ノズル３２へ送られ、固定ノズル３２からシンク１２内に蒸気が吐出されて、シンク１２内の温度が上昇する。以下、温度調節器６３の働きにより、シンク１２内の温度が略８５°Ｃに保たれる。
【００６２】
この状態で、２０分程度フラスコ２０１ａ，２０１ｂ，２０２ａ，２０２ｂが加熱されると、蝋模型２０１ｃ，２０１ｄ，２０２ｃ，２０２ｄが軟化する。
【００６３】
このとき、二次側コイルＴ２は、パイプコイル７に直接電流を流し、パイプコイル７自体が発熱するので、瞬時にパイプコイル７の温度が上昇する。また、パイプコイル７を流れる過程で水が加熱されるので、水とパイプコイル７との接触面積が大きくなる結果、流体加熱装置２は、例えば１０秒程度の短時間で蒸気や後述する温水を生成することができ、背景技術のようにタンク内の水を加熱する場合と比べて待機時間が短縮される。
【００６４】
また、パイプコイル７で生じた熱が効率よく水の加熱に使われる。その結果、タンク内の水を加熱する場合と比べてエネルギー消費量が低減される。さらに、一次側コイルＴ１と二次側コイルＴ２とが絶縁されているので、パイプコイル７やパイプコイル７を流れる水を経由した漏電が防止される結果、安全性が向上する。
【００６５】
ユーザは、フラスコ２０１ａ，２０１ｂ，２０２ａ，２０２ｂを２０分程度加熱した後、上蓋１３を開き、切替ハンドル４をノズル３１側に切り替え、切替スイッチＳＷ１を「温水」に切り替え、さらにフットスイッチＳＷ２を踏む。
【００６６】
そうすると、制御部１００は、切替スイッチＳＷ１、及びフットスイッチＳＷ２の信号に応じて温水モードの動作を行うべく、電磁弁８３を開、電磁弁８４を閉とし、第１流量弁８１を介してパイプコイル７に水を供給させ、温水用の温度調節器６１からの指示信号に応じてスイッチング部９をオン、オフさせる。
【００６７】
温度調節器６１は、温度調節器６３と同様の動作により、パイプコイル７の温度を例えば８５°Ｃにするように、制御部１００へ指示信号を出力する。そうすると、二次側コイルＴ２から供給される電流によりパイプコイル７が発熱し、パイプコイル７を流れる水を加熱する。このとき、第１流量弁８１は、パイプコイル７に流れる水量を、温水の発生に適した第１流量に調節するので、水は蒸気になることなくパイプコイル７を流れる過程で加熱され、８５°Ｃにされた温水が切替弁４１によってノズル３１へ送られ、ノズル３１から温水が吐出される。
【００６８】
ユーザは、ノズル３１をフラスコ２０１ａ，２０１ｂ，２０２ａ，２０２ｂに向け、ノズル３１から温水を蝋模型２０１ｃ，２０１ｄ，２０２ｃ，２０２ｄに噴射させることで蝋模型２０１ｃ，２０１ｄ，２０２ｃ，２０２ｄを、溶融させ、洗浄する。
【００６９】
さらにユーザが、切替スイッチＳＷ１を「スチーム」に切り替えてフットスイッチＳＷ２を踏むと、制御部１００は、切替スイッチＳＷ１、及びフットスイッチＳＷ２の信号に応じてスチームモードの動作を行うべく、電磁弁８３を閉、電磁弁８４を開とし、第２流量弁８２を介してパイプコイル７に水を供給させ、スチーム用の温度調節器６２からの指示信号に応じてスイッチング部９をオン、オフさせる。
【００７０】
そうすると、ノズル３１から略１４０°Ｃの蒸気が噴出されるので、ユーザは、ノズル３１を操作して高温の蒸気を、温水で洗い流されなかった蝋に噴射することで、蒸気洗浄することができる。洗浄が終わると、ユーザがフットスイッチＳＷ２から足を離すことで、フットスイッチＳＷ２がオフし、制御部１００が電磁弁８３，８４を閉じさせる。これにより、蒸気の吐出が停止する。
【００７１】
このようにして蝋が洗い流されると、ユーザは、フラスコ２０１ａ，２０１ｂを組み合わせ、フラスコ２０２ａ，２０２ｂを組み合わせる。そして、フラスコ２０１ａ，２０１ｂの鋳型２０１ｅ，２０１ｆの空洞、及びフラスコ２０２ａ，２０２ｂの鋳型２０２ｅ，２０２ｆの空洞に樹脂を充填する。
【００７２】
ユーザは、この樹脂が充填されたフラスコ２０１ａ，２０１ｂ，２０２ａ，２０２ｂをシンク１２内の底板１２１上に配置する。この状態で、ユーザは、上蓋１３を閉じてシンク１２内を閉鎖空間とし、切替ハンドル４を操作して蒸気の送り先を固定ノズル３２に切り替え、操作パネル６３１を操作してシンク用の温度調節器６３の設定温度を例えば樹脂の重合に適した９５°Ｃに設定し、切替スイッチＳＷ１を「シンク」に切り替える。
【００７３】
そうすると、上述のシンクモードのときと同様の動作により、シンク１２内の温度が９５°Ｃとなる。これにより、鋳型２０１ｅ，２０１ｆ及び鋳型２０２ｅ，２０２ｆに充填された樹脂が重合、固化されて、合成樹脂の義歯床が得られる。
【００７４】
以上のように、流体加熱装置２は、水を加熱するためのタンクを備えることなく、水を加熱することができる。そして、歯科用蝋洗浄装置１によれば、流体加熱装置２により得られた温水、及び蒸気によって、合成樹脂の義歯床を製造するための鋳型から当該鋳型の形状の元となった蝋を洗い流すことができ、さらに鋳型に充填された樹脂を重合、固化させることができる。
【００７５】
また、タンクにより温水や蒸気を生成する場合、タンクに高温の温水、特に蒸気を発生させる場合にはさらに高温の熱水が蓄えられることとなる。これに対し、流体加熱装置２によれば、パイプコイル７内に残留する温水は少量なので、加熱用のタンクを備える場合と比べて安全性が向上する。また、大容量のタンクが不要となることにより、省スペース化が図られると共に低コスト化することが容易である。
【００７６】
また、タンクにより温水や蒸気を生成する場合、タンクへの水の注入から、タンクから温水や蒸気が流出するまでの遅れ時間が大きい。そのため、温水や蒸気の吐出を制御するための弁部８を、タンクの下流側に設ける必要がある。しかしながら、タンクの下流側に弁部８を設けると、弁部８を高温の温水や蒸気が流れる結果、弁部８が故障するおそれが増大する。これに対し、流体加熱装置２によれば、水がパイプコイル７を流れる過程で加熱されるので、パイプコイル７の上流側に弁部８を設けても、遅れ時間が生じない。そこで、流体加熱装置２は、パイプコイル７の上流側に弁部８を設ける。その結果、弁部８には、加熱前の低温の水が流れるので、弁部が故障するおそれが低減する。
【００７７】
また、パイプコイル７を、温水の生成と蒸気の生成とに用いることができるので、低コストで温水及び蒸気を発生可能な流体加熱装置２を構成することができる。また、パイプコイル７は、螺旋状に巻き回されているので、省スペース化を図ることができる。
【００７８】
また、歯科用蝋洗浄装置１は、蝋の洗浄（脱蝋）と、蒸気による重合とを１つの装置で行うことができる。一般に、樹脂の重合は、温水の中にフラスコを浸けた状態で加熱して行われる。しかしながら、温水に浸けると、樹脂が変形して義歯床の成型精度が低下するおそれがある。これに対し、歯科用蝋洗浄装置１によれば、蒸気で樹脂を重合させることができるので、義歯床の成型精度が向上する。
【００７９】
なお、流体加熱装置２を歯科用蝋洗浄装置１に適用する例を示したが、流体加熱装置２は、流体を加熱するものであればよく、歯科用蝋洗浄装置１に適用される例に限らない。また、流体として水を例示したが、流体は導管内を流動可能なものであればよく、水に限らない。また、弁部８は、パイプコイル７の下流側に配設されていてもよい。また、流路切替部は、第１流路２１と第２流路２２とを切り替えることができればよく、流路切替部として電磁弁８３，８４を用いる例に限らない。流路切替部として例えば三方弁を用いてもよい。また、流路切替部は手動弁であってもよい。また、歯科用蝋洗浄装置１は、必ずしも固定ノズル３２及び切替弁４１を備えていなくてもよい。
【符号の説明】
【００８０】
１    歯科用蝋洗浄装置
２    流体加熱装置
４    切替ハンドル
７    パイプコイル（導管）
８    弁部
９    スイッチング部
１１  筐体
１２  シンク
１３  上蓋
１４  開閉扉
１５  ドレーンタンク
２１  第１流路
２２  第２流路
３１  ノズル
３２  固定ノズル
４１  切替弁（切替部）
５１  温度センサ
５１，５２  温度センサ
６１，６２，６３  温度調節器
７１  入口
７２  出口
７３，７４  接続端子
８１  第１流量弁
８２  第２流量弁
８３，８４  電磁弁（流路切替部）
１００      制御部
１２１      底板
２０１ａ，２０１ｂ，２０２ａ，２０２ｂ    フラスコ
２０１ｃ，２０１ｄ，２０２ｃ，２０２ｄ    蝋模型
２０１ｅ，２０１ｆ，２０２ｅ，２０２ｆ    鋳型
３１１      ハンドル
３１２      ホース（管）
ＳＷ１      切替スイッチ（指示受付部）
ＳＷ２      フットスイッチ
Ｔ    トランス
Ｔ１  一次側コイル
Ｔ２  二次側コイル
【図１】
2015070907.tif 000003
【図２】
2015070907.tif 000004
【図３】
2015070907.tif 000005